(57)【要約】【課題】軸部や針部が曲がることを抑制し、釣果の向上が図れる太刀魚用テンヤを提供する。【解決手段】本発明の太刀魚用テンヤ１は、錘部３に装着される軸部５と、軸部５の先端側に設けられる針部７と、軸部５の上側に設けられ、餌を刺し込み保持する刺し針９と、を有している。そして、軸部５を太径にすると共に、針部７を細径とし、軸部５の先端側に針部７を連結、固定したことを特徴とする。【選択図】  図１
2020014389.tif 000002
【特許請求の範囲】
【請求項１】
錘部に装着される軸部と、軸部の先端側に設けられる針部と、前記軸部の上側に設けられ、餌を刺し込み保持する刺し針と、を有する太刀魚用テンヤにおいて、
前記軸部を太径にすると共に前記針部を細径とし、前記軸部の先端側に針部を連結、固定したことを特徴とする太刀魚用テンヤ。
【請求項２】
前記軸部と針部は着脱構造を備えており、
前記軸部に対する針部を変更可能であることを特徴とする請求項１に記載の太刀魚用テンヤ。
【請求項３】
前記着脱構造は、前記針部の基端に固定ネジ用の開口を形成し、前記開口を介してネジ止めすることで前記針部を軸部に対して固定することを特徴とする請求項２に記載の太刀魚用テンヤ。
【請求項４】
前記軸部には、針部を固定した際、針部の移動を規制する規制部が設けられていることを特徴とする請求項３に記載の太刀魚用テンヤ。
【請求項５】
前記軸部と針部は、前記刺し針に保持される餌の大きさに応じて針部を軸部に対して軸方向にスライドさせるスライド構造を備えており、
前記針部の軸方向位置を固定するストッパを備えていることを特徴とする請求項１に記載の太刀魚用テンヤ。
【請求項６】
前記スライド構造は、前記針部と刺し針を前記軸部に対して保持するスリーブを備えており、
前記ストッパは、前記軸部の端部に形成されるネジ部と、このネジ部に螺合するナットとを備えていることを特徴とする請求項５に記載の太刀魚用テンヤ。
【発明の詳細な説明】
【技術分野】
【０００１】
本発明は、釣り用の仕掛けに関し、詳細には、太刀魚釣りに際して用いられる太刀魚用テンヤに関する。
【背景技術】
【０００２】
従来、太刀魚釣りには、例えば、特許文献１や２に開示されているように、専用の仕掛け（太刀魚用テンヤとも称する）が用いられている。具体的には、リールからの釣糸が締結される魚の頭部を模した錘部（ヘッド）に、後方に向けて線状の軸部が取り付けられており、軸部の先側は、下方に湾曲した針部（フック部）となっている。また、軸部の上側には、複数の刺し針が設けられており、この部分にイワシやサンマなどの餌を刺して、線材を巻回して固定するようにしている。そして、このような仕掛けでは、太刀魚が餌に食い付いた際に釣竿を煽ってフッキングすると、針部が太刀魚の口部の周辺に刺し込まれて釣り上げることができる。
【先行技術文献】
【特許文献】
【０００３】
【特許文献１】特開２０１８−９３９０４号
【特許文献２】特開２０１８−３８３２０号
【発明の概要】
【発明が解決しようとする課題】
【０００４】
従来の太刀魚用テンヤの針部は、軸部に対して略１８０°湾曲形成された構造となっており、軸部と針部は一体形成されて錘部に装着されている。通常、針部は、太刀魚の口の中に掛けるのではなく、口部の周辺に引っ掛ける（刺し込む）ものであり、また、針部は、大型サイズの太刀魚にも対応できるように、軸部との間隔が広くなっていることが特徴となっている。具体的に、太刀魚用テンヤを海中の所定の棚に落とし込むと、錘部と軸部（餌）は、水中で略水平状態に浮遊するようになり、この状態で下側から太刀魚が餌に食い付く。このときに釣竿をシャクリ上げて針部を太刀魚の口部周辺に刺して掛けることから、軸部と針部の間隔は一般的な釣針構造よりも広くなっている。
【０００５】
ところで、軸部と針部の間隔が広いと、太刀魚の掛かり重視で細い径のものを用いた際に、フッキング時に針部が曲がってしまったり、太刀魚を針部から外すときに軸部が曲がることがある。一方、このような曲がりが生じないように、軸部及び針部の径を太径化すると、針掛かり率が低下してしまう（釣果が低下する）。
【０００６】
本発明は、上記した問題に着目してなされたものであり、軸部や針部が曲がることを抑制し、釣果の向上が図れる太刀魚用テンヤを提供することを目的とする。
【課題を解決するための手段】
【０００７】
上記した目的を達成するために、本発明に係る太刀魚用テンヤは、錘部に装着される軸部と、軸部の先端に設けられる針部と、前記軸部の上側に設けられ、餌を刺し込み保持する刺し針と、を有しており、前記軸部を太径にすると共に前記針部を細径とし、前記軸部の先端側に針部を連結、固定したことを特徴とする。
【０００８】
上記した構成では、錘に装着される軸部が太径で、針部がそれよりも細径となるため、太刀魚をフッキングさせる際、或いは、掛かった太刀魚を外す際、針全体が曲がることが防止される。すなわち、餌を刺し込む刺し針が装着される軸部が太径であるため、大きな負荷が作用しても曲がり難くなっており、かつ、餌が装着される軸部に対して下方に向けて湾曲する状態になっている針部は細径になっているため、太刀魚が警戒することが抑制され、釣果を向上することが可能となる。
【０００９】
なお、上記した構成では、軸部と針部は、予め固定された状態になっていても良いし、ユーザの好みに応じて着脱可能で固定できるように構成されていても良い。また、針部は、軸部に対して軸方向に変位可能で任意の位置に固定される構造であっても良いし、刺し針についても、針部と同様に、軸部に対して変位可能で任意の位置に固定される構造であっても良い。
【発明の効果】
【００１０】
本発明によれば、軸部や針部が曲がることを抑制し、釣果の向上が図れる太刀魚用テンヤが得られる。
【図面の簡単な説明】
【００１１】
【図１】本発明に係る太刀魚用テンヤの第１の実施形態を示す図であり、（ａ）は全体構成を示す図、（ｂ）は要部を示す図。
【図２】図１に示す太刀魚用テンヤに餌を固定した状態を示す図。
【図３】本発明に係る太刀魚用テンヤの第２の実施形態を示す図であり、（ａ）は要部を示す側面図、（ｂ）は要部を示す斜視図。
【図４】本発明に係る太刀魚用テンヤの第３の実施形態を示す図であり、（ａ）は要部を示す側面図、（ｂ）は要部を示す斜視図。
【図５】本発明に係る太刀魚用テンヤの第４の実施形態を示す図であり、（ａ）は小さい餌用の針部の位置を示す図、（ｂ）は要部の軸方向と直交する方向の断面図、（ｃ）は大きい餌用の針部の位置を示す図。
【図６】図５に示す太刀魚用テンヤの使用状態を示す図であり、（ａ）は小さい餌を装着した状態を示す図、（ｂ）は大きい餌を装着した状態を示す図。
【発明を実施するための形態】
【００１２】
図１および図２は、本発明に係る太刀魚用テンヤの第１の実施形態を示す図である。  
本実施形態に係る太刀魚用テンヤ１は、魚の頭部の形状を模した錘部３と、錘部３に装着される軸部５と、軸部５の先端に設けられる針部７と、軸部５の上側に設けられ、イワシやサンマなどの餌５０を刺し込み保持する上方に向けて突出する刺し針９と、を有している。
【００１３】
前記錘部３の上方及び下方には、それぞれ環３ａ，３ｂが設けられている。この内、上側の環３ａには、リールからの釣糸（ハリス等）に締結されたスナップが装着され、下側の環３ｂには、錘、針、餌を固定するための線材、或いは、仕掛けを上下に反転させてリールからの釣糸（ハリス等）に締結されたスナップ等が装着される。
【００１４】
前記錘部３に設けられる軸部５は、略水平状に後方に向けて延出するように錘部３に刺し込まれて固定されており、その先端側に、後述する針部７の基端側の直線部７ａが連結、固定されている。また、前記軸部５の上側には、刺し針９が設けられている。この刺し針９は、軸部５の上側で餌５０を刺し込むように、１本以上あれば良く、本実施形態では３本設けられている（刺し針９ａ〜９ｃ）。この場合、錘部３側の刺し針９ａは、略Ｌ字状に形成されて錘部３に刺し込まれて固定されており、針部７側の刺し針９ｂ，９ｃは、略コの字状に形成されて、軸部５に例えば溶着等によって固定されている。
【００１５】
前記軸部５の先端側に設けられる針部７は、軸部５とは別体で形成されており、直線部（軸）７ａと、直線部７ａの先端から下方側に略Ｕ字状となって略１８０°折り返される湾曲部（腰曲げ７ｂ１から先曲げ７ｂ２領域が該当する）７ｂと、湾曲部７ｂの先端の針先７ｃに設けられた返し７ｄとを備えている。
【００１６】
前記針部７は、軸部５に対して細径のものが用いられ、両者は連結されて一体化（固定）されている。
本実施形態では、図１（ｂ）に示すように、軸部５の先端側に、半田付け、溶接、銀ロウ付け等（溶着部を符号１０で示す）によって、針部７の直線部７ａを溶着することで一体化している。すなわち、太径の軸部５よりも細径に形成された任意の太さの針部７を選択して、両者を溶着部１０によって一体化していることから、針部７に対する軸部５の曲がり強度が向上するとともに、軸部５の先端側が軽量化するため、全体のバランスを取り易くなる。両部材の連結、固定に際しては、軸部５の先端側に針部７の直線部７ａを添わせるように位置合わせして溶着を施し、接合部分を全て覆うように溶着部１０を形成することが好ましい。
【００１７】
なお、上記した構成では、軸部５と針部７は、同一の材料を用いても良いし、異なる材料同士を組み合わせて使用しても良い。軸部５と針部７を構成する材料としては、例えば、鋼、ステンレス等が用いられる。また、針部７の軸長方向長さＬ１については、長すぎると針掛かりした際、或いは、太刀魚を外す際、変形しやすいことから、軸部５と針部７の軸方向長さＬの１／２以下にすることが望ましい。
【００１８】
上記したように構成される太刀魚用テンヤ１は、錘部３の環３ａに釣糸（ハリス等）に締結されたスナップを装着し、軸部５の上側に設けられている刺し針９に餌５０を刺し込み、線材（釣糸、針金など）５１を巻き付け固定して使用される。
【００１９】
この場合、前記針部７は、軸部５に対して細径のものが用いられるため、同一径のものを用いた場合と比較して、太刀魚の警戒心を軽減することができ、これにより針掛かりが良くなって釣果の向上が図れるようになる。また、太刀魚が掛かって大きな負荷が作用しても、軸部５が太径であるため、撓み難く掛かり損ねることが防止されるとともに、掛かった太刀魚を外す際にも軸部５が曲がることはなく、耐久性の向上が図れるようになる。
【００２０】
図３（ａ）（ｂ）は、本発明に係る太刀魚用テンヤの第２の実施形態の要部を示す図である。
本実施形態に係る太刀魚用テンヤは、軸部５と針部７が着脱構造を備えており、軸部５に対して固定される針部７を変更可能にしたことを特徴としている。
【００２１】
前記着脱構造は、軸部５の先端側に半田付け等の溶着（溶着部を符号１１で示す）によって固定され、軸部に対して上側に突出する突起（雄ネジ部）１２ａを具備したＬ字形状のネジ取り付け部材１２と、針部７の基端側に形成され、突起１２ａに嵌合される固定ネジ用の開口７ｅとを備えている。すなわち、突起１２ａに前記開口７ｅを嵌合させ、ネジ部材１５を螺合する（ネジ止めする）ことで、針部７を軸部５に対して変更可能に連結固定できるようになっている。
【００２２】
このような構成では、針部７が錆びたり損傷しても交換することが可能となり、また、太刀魚の大きさや、実釣時における太刀魚の釣れ具合等によっても、太軸、細軸の交換が行えるようになり、太刀魚用テンヤそのものを交換する必要が無く、利便性の向上が図れるようになる。
なお、上記したように、針部７を交換可能にする場合、軸部５の先端に針部７の移動を規制する規制部を形成しておくことが好ましい。このような規制部は、例えば、針部７の直線部７ａを圧入して保持できる割り部５ｂを具備した突部（規制部）５ａを形成することで構成することが可能である。このような規制部５ａを設けることで、針部７が太刀魚に掛かった際の針部の変位が抑制されるため、確実に針掛かりさせることが可能となる。
【００２３】
図４（ａ）（ｂ）は、本発明に係る太刀魚用テンヤの第３の実施形態の要部を示す図である。
本実施形態に係る太刀魚用テンヤにおいても、軸部５Ａと針部７が着脱構造を備えており、軸部５Ａに対する針部７を変更可能にしたことを特徴としている。
【００２４】
本実施形態では、軸部５Ａはステンレス製の平板状に構成されており、その先端側の上面にネジ止めすることが可能なネジ孔５ｃが穿設されている。針部７は、軸部５Ａの幅よりも細径のものが用いられ、上記した実施形態と同様、針部７の基端側に形成された固定ネジ用の開口７ｅをネジ孔５ｃに位置合わせし、ネジ部材（止めビス）１５ａを螺合する（ネジ止めする）ことで、針部７を軸部５Ａに対して変更可能に連結固定することができる。
【００２５】
このように、針部が連結固定される軸部については、棒状部材にしたり、板状部材にする等、適宜変形することが可能である。なお、本実施形態においても、軸部５Ａの先端側の両側を、互いに接近するように屈曲形成し、その中央に針部の直線部７ａが圧入できる割り部５ｅを具備した屈曲部（規制部）５ｄを形成することで取り付けた針部７の移動を規制することが可能である。
【００２６】
図５および図６は、本発明に係る太刀魚用テンヤの第４の実施形態を示す図である。  
本実施形態では、軸部５Ｂと針部７は、刺し針９に保持される餌の大きさに応じて針部７を軸部５Ｂに対して軸方向にスライドさせるスライド構造を備えている。このスライド構造は、少なくとも、軸部５Ｂに対する針部７の軸方向位置が変更できるように構成されていれば良いが、本実施形態では、更に、刺し針の位置についても変更できるように構成されている。
【００２７】
具体的にスライド構造は、軸部５Ｂの先端側の下側に針部７の直線部７ａを沿わせると共に、その上側に略コの字状の刺し針９ｂ，９ｃの胴部９Ａを沿わせ、これをスリーブ２０によって囲繞することで構成されており、これにより、軸部５Ｂに対して針部７の軸方向位置を変更することができ、更には、刺し針９ｂ，９ｃの軸方向位置についても変更できるようにしている。
【００２８】
また、上記した構成では、針部７及び刺し針９ｂ，９ｃの軸方向位置を固定するように、ストッパが設けられている。このストッパは、針部７（刺し針９ｂ，９ｃ）を軸部に対してスライドさせた際に、その位置を停止状態に維持できるような構成であれば良く、例えば、軸部５Ｂの先端に雄ネジ部５ｆを形成しておき、この部分にナット（ストッパ）２５を螺合させておくことで、スリーブ２０の後端位置を任意に調整してその位置を停止させることが可能となる。
【００２９】
すなわち、ストッパ（ナット）２５を後端位置に移動することで、図５（ｃ）及び図６（ｂ）に示すように、針部７及び刺し針９ｂ，９ｃを大きな餌５０ａに適切な位置に設定することができ、また、ナット２５を前端位置に移動することで、図５（ａ）及び図６（ａ）に示すように、針部７及び刺し針９ｂ，９ｃを小さい餌５０ｂに適切な位置に設定することができる。この場合、雄ネジ部５ｄの先端に、ナット２５の抜け止めとなるように、フランジ２５ａを形成しておくことが好ましく、これにより、ナット２５が抜けることを確実に防止することが可能となる。
【００３０】
上記したようなスライド構造を設けることで、使用する餌の大きさに大小があった場合や、太刀魚の食い状況に応じて、針部を最適な位置に調整することが可能となる。
なお、上記した構成では、軸部５Ｂに蛍光部材（蛍光パイプ）２７をセットしても良く、これにより集魚効果を高めることも可能となる。このような蛍光部材は、スリーブ２０の表面に形成しても良いし、別途、柱状の部材をスリーブに装着できるようにしても良い。
【００３１】
以上、本発明の実施形態について説明したが、本発明は、前述した実施形態に限定されず、その要旨を逸脱しない範囲で種々変形することが可能である。例えば、錘部３や針部７の形状、刺し針９の配設位置や本数等は適宜変形することができ、軸部に対する針部の固定方法、更には、針部の着脱構造についても適宜変形することが可能である。
【００３２】
また、本発明は、太刀魚用テンヤとして説明したが、魚を引っ掛ける部分について、従来は一体形成されているフック形状の針に関し、これを太径の軸部（直線部）と、細径の針部（湾曲部）に分割し、両者を連結する（溶着等によって予め固定する、着脱可能に連結固定する、軸部に対して針部をスライド可能にする）構造であれば、太刀魚用テンヤ以外の各種の釣用仕掛けに適用することが可能である。
【符号の説明】
【００３３】
１  太刀魚用テンヤ
３  錘部
５，５Ａ，５Ｂ  軸部
７  針部
７ａ  直線部
７ｂ  湾曲部
９（９ａ〜９ｃ）  刺し針
５０，５０ａ，５０ｂ  餌
【図１】
2020014389.tif 000003
【図２】
2020014389.tif 000004
【図３】
2020014389.tif 000005
【図４】
2020014389.tif 000006
【図５】
2020014389.tif 000007
【図６】
2020014389.tif 000008